(57)【要約】【課題】両面複写機能を有する画像形成装置において、原稿を複写する際に、どのように記録用紙に印字されるか分かり易くした機能を有する画像形成装置を提供する。【解決手段】両面複写機能を有する画像形成装置において、原稿のサイズを検知する原稿検知手段および原稿のサイズを要求に応じて設定する原稿サイズ設定手段の少なくともいずれか一方と、原稿の天位置を要求に応じて設定する原稿天位置設定手段と、原稿の綴じ方向を要求に応じて設定する綴じ方向設定手段と、出力用紙サイズを要求に応じて設定する出力サイズ設定手段と、印字倍率を要求に応じて設定する印字倍率設定手段とを有し、原稿のデータを保存するデータボックスを備え、データボックスに保存された原稿のデータを印字する際に、原稿の天位置を上とした場合に原稿の左上隅を基準に印字領域が設定される。【選択図】図９
2008219557.tif 000002
【特許請求の範囲】
【請求項１】
両面複写機能を有する画像形成装置において、
原稿のサイズを検知する原稿検知手段および原稿のサイズを要求に応じて設定する原稿サイズ設定手段の少なくともいずれか一方と、原稿の天位置を要求に応じて設定する原稿天位置設定手段と、原稿の綴じ方向を要求に応じて設定する綴じ方向設定手段と、出力用紙サイズを要求に応じて設定する出力サイズ設定手段と、印字倍率を要求に応じて設定する印字倍率設定手段とを有し、
原稿のデータを保存するデータボックスを備え、該データボックスに保存された前記原稿のデータを印字する際に、前記原稿の天位置を上とした場合に該原稿の左上隅を基準に印字領域が設定されることを特徴とする画像形成装置。
【発明の詳細な説明】
【技術分野】
【０００１】
本発明は、画像形成装置に関するものである。
【背景技術】
【０００２】
従来から、複数の原稿の片面を読み取って記録し、その原稿を記録用紙（出力用紙）の両面に印刷（記録）する、または原稿の両面を読み取って記録し、その原稿を記録用紙の両面または片面に印刷する画像形成装置における各種の両面記録のモードにおいて、記録用紙が原稿用紙のα倍のサイズを有して偏倍率（印字倍率）β倍で複写する場合がある。このとき、α＝βの場合には、単純な拡大縮小印刷のため問題ないが、α＝βでない場合に、表裏で原稿の画像がずれて記録されることがある。この問題を、メモリなどを使用せずに解決した画像形成装置が知られている（例えば、特許文献１参照）。
【特許文献１】特開２００２−１２５１０２号公報
【発明の開示】
【発明が解決しようとする課題】
【０００３】
ところで、上述の特許文献１の画像形成装置では、原稿の綴じる方向、原稿の天の位置および原稿の両面読み込み方法（同時読み込み／交互読み込み）が考慮されていないため、その装置が跳ね上げ式の両面読み込み可能な自動原稿送り装置で、裏面読み込みが後端から読み込まれる場合には問題ないが、それ以外の例えば、裏面の原稿の天が後端になっているときには、出力される画像領域がずれてしまうという問題があった。また、両面読み込みの場合、特に、裏面は原稿のどの部分が記録用紙のどの部分に印字されるか分からないという問題があった。
【０００４】
そこで、本発明は、上記の事情を鑑みてなされたものであり、両面複写機能を有する画像形成装置において、原稿を複写する際に、どのように記録用紙に印字されるか分かり易くした機能を有する画像形成装置を提供することを目的とする。
【課題を解決するための手段】
【０００５】
上記の課題を解決するために、請求項１に記載した発明は、両面複写機能を有する画像形成装置において、原稿のサイズを検知する原稿検知手段および原稿のサイズを要求に応じて設定する原稿サイズ設定手段の少なくともいずれか一方と、原稿の天位置を要求に応じて設定する原稿天位置設定手段と、原稿の綴じ方向を要求に応じて設定する綴じ方向設定手段と、出力用紙サイズを要求に応じて設定する出力サイズ設定手段と、印字倍率を要求に応じて設定する印字倍率設定手段とを有し、原稿のデータを保存するデータボックスを備え、該データボックスに保存された前記原稿のデータを印字する際に、前記原稿の天位置を上とした場合に該原稿の左上隅を基準に印字領域が設定されることを特徴とする。
【０００６】
このように構成することで、原稿を予め各設定手段により設定された情報を付加した状態でデータ化して、データボックスに保存でき、保存されている原稿のデータを印字する際に、その付加情報に基づいて原稿の左上隅を基準に印字することができる。  
【発明の効果】
【０００７】
請求項１に記載した発明によれば、原稿を予め各設定手段により設定された情報を付加した状態でデータ化して、データボックスに保存でき、保存されている原稿のデータを印字する際に、その付加情報に基づいて原稿の左上隅を基準に印字することができるため、どのように出力用紙に印字されるかを使用者が想像しやすくすることができる。つまり、データボックスに保存されている原稿データを印字する際に、どのように記録用紙に印字されるか分かり易くすることができる効果がある。
【発明を実施するための最良の形態】
【０００８】
次に、本発明の実施形態を図１〜図１２に基づいて説明する。なお、本実施形態では、画像形成装置をコピー、プリンタ、ファクスおよびスキャナなど複数の機能を有する複合機に採用した場合についての説明をする。
図１に示すように、複合機１は、図示しない画像記憶部、画像処理部、印刷部および制御部などを備えた複合機本体３が下部に構成されている。複合機本体３の上部手前側に複合機１の各種操作を実行するための操作部５と、透明電極からなるタッチパネル７が全面に配された表示部９とを備えた操作表示装置１１が構成され、複合機本体３の上部で操作表示装置１１以外の部分には、原稿を自動的に給紙するための自動原稿送り装置（ＡＤＦ）１３と、原稿を載置するための透明ガラスからなるテーブル１４と、原稿を読み取るためのスキャナ部１５とを備えた画像読取部１７が構成されている。複合機１は、コピー、プリンタ、ファクスおよびスキャナの機能を有している。
【０００９】
図２に示すように、操作表示装置１１は、操作部５と表示部９とから構成されている。操作部５は、使用者による各種の操作指示を受け付け、当該操作指示内容を制御部３３に出力する複数のボタン１９で構成されたものである。ボタン１９は、コピー作業やファクス送信作業などを起動するスタートキー１９ａ、コピー枚数やファクスの電話番号などを設定するテンキー１９ｂ、初期設定画面を起動などするファンクションキー１９ｃなどで構成されている。
【００１０】
また、表示部９はカラーまたはモノクロ液晶ディスプレイ（ＬＣＤ）で構成されており、後述する制御部３３から入力された表示指示に基づいて各種画像、文字、図形などで各種情報が表示される。また、使用者が表示部９に表示された各機能キーに触れることによってタッチパネル７が機能し、入力された操作指示内容が制御部３３に出力されるように構成されている。
【００１１】
図３に示すように、複合機１は、主に操作部５、表示部９、画像読取部１７、画像記憶部２７、画像処理部２９、印刷部３１および制御部３３などで構成されている。操作部５および表示部９は、上述の通り制御部３３と通信可能に接続されており、複数の機能の各種操作に対する送受信が行われるように構成されている。
【００１２】
画像読取部１７は、自動原稿送り装置（ＡＤＦ）１３とスキャナ部１５とを備えている。このような画像読取部１７は、制御部３３による制御の下に、自動原稿送り装置１３から供給された原稿がテーブル１４上に送られながら、複合機本体３に内蔵されたスキャナ部１５にて原稿の画像を順次読み取り、原稿画像の色彩を表すカラー画像データを画像記憶部２７に出力可能に構成されている。また、直接テーブル１４上に原稿を載置した場合にも、スキャナ部１５にて原稿の画像を読み取るように構成されている。
【００１３】
画像記憶部２７は、ハードディスクなどの外部記憶装置或いは／および半導体メモリなどで構成されており、画像読取部１７から入力された原稿画像のカラー画像データを記憶する。この画像記憶部２７は、制御部３３による制御の下に、読み取られた原稿画像のカラー画像データの書き込みを行うと共に、当該カラー画像データを読み出して画像処理部２９に出力可能に構成されている。
【００１４】
画像処理部２９は、制御部３３による制御の下に、画像記憶部２７から入力されたカラー画像データを印刷用のデータに変換して印刷部３１に出力可能に構成されている。
印刷部３１は、制御部３３による制御の下に、印刷紙を搬送しつつ当該印刷紙にトナーを付着させることにより、上記カラー画像データに基づいて原稿画像を印刷紙上に出力する印刷手段として構成されている。
【００１５】
制御部３３は、操作部５或いは表示部９のタッチパネル７から入力される操作指示、内部メモリに記憶された制御プログラムおよび各種制御用データなどに基づいて、複合機１の全体動作を制御するものである。即ち、制御部３３は、上記操作指示、制御プログラムおよび各種制御用データなどに基づいて制御演算を行うＣＰＵ（Ｃｅｎｔｒａｌ  Ｐｒｏｃｅｓｓｉｎｇ  Ｕｎｉｔ）および他の各部（例えば、操作部５、表示部９、画像読取部１７、画像記憶部２７、画像処理部２９および印刷部３１）とのデータ授受を行う各種入出力インタフェース回線などで構成されており、上記他の各部を統括的に制御することによって、コピーやスキャナの機能を使用して画像読取部１７が読み取った原稿画像を印刷部３１より印刷したり、外部から受信した原稿データをプリンタとして印刷したり、または受信したファクスデータを印刷することができるようになっている。
【００１６】
ここで、複合機１には、スキャナなどにより読み取った原稿データやＬＡＮなどを介して接続されているパーソナルコンピュータなどに保存されているデータを保存可能なデータボックスが設けられている。データボックスは、ハードディスクなどで構成されており、複数のデータを保存することができる。また、データボックスに保存されているデータを読み出して、複合機１をプリンタとして機能させることで、印刷部３１から所望のデータを印字して出力することができるように構成されている。なお、データボックスは、画像記憶部２７と兼用している。
【００１７】
次に、図４のフローチャートに基づいて、複合機１を用いて原稿をデータボックスに保存する場合の説明をする。
図４に示すように、ステップ１（Ｓ１）では、原稿がＡＤＦ１３のトレイにセットされたか、テーブル１４上に直接セットされたかを図示しないセンサーにより検知する。いずれかに原稿がセットされると、ステップ２（Ｓ２）へと進む。
【００１８】
ステップ２では、原稿のデータをデータボックスに保存するか否かを設定する。通常は、データを保存しない設定になっており、データを保存する場合には、表示部９に表示された機能キーを押下することで選択可能に構成されている。データを保存する場合には、ステップ３（Ｓ３）へと進む。保存しない場合は、ステップ１０（Ｓ１０）へと進み、原稿をスキャナで読み取り、直接コピーすることとなる。
【００１９】
ステップ３では、原稿が両面か片面かを設定する。通常は「片面」が設定されており、「両面」を選択したい場合には、表示部９に表示された機能キーを押下することで選択可能に構成されている。ここで、「両面」を選択した場合には、ステップ４（Ｓ４）へと進み、「片面」を選択した場合は、ステップ５（Ｓ５）へと進む。
【００２０】
ステップ４では、原稿の綴じ方向を設定する（綴じ方向設定手段）。綴じ方向としては、「左右綴じ」と「上下綴じ」があり、どちらかを選択する。綴じ方向を選択するとステップ５へと進む。
【００２１】
ステップ５では、原稿の天位置がどちらに向いた状態かを設定する（原稿天位置設定手段）。図５に示すように、原稿の天位置を表示部９に表示された８つのパターンの中から選択する。原稿の天位置はＡＤＦ１３のトレイにセットした場合には、表面を上にした状態でトレイに載置した向きを選択する。テーブル１４上に原稿をセットした場合には、表面（奇数枚数目の原稿）をスキャナ部１５に対向するように載置したときの向きを選択する。原稿の天位置を選択するとステップ６（Ｓ６）へと進む。
【００２２】
図４に戻り、ステップ６では、原稿のサイズを決定する。原稿のサイズは、複合機１に設けられた図示しないセンサーにより自動的に検知する（原稿検知手段）方法か、手動で表示部９を操作することでサイズを設定する（原稿サイズ設定手段）方法を用いて決定する。これは、原稿がイレギュラーなサイズの用紙であった場合には、自動検知では正確なサイズを認識できないことがあり、そのような場合には手動により設定することで原稿サイズを決定することができる。原稿のサイズを決定すると、ステップ７（Ｓ７）へと進む。
【００２３】
ステップ７では、制御部３３にて、原稿の表裏、原稿がセットされた状態（テーブル１４かＡＤＦ１３）、綴じ方向、天位置、原稿のサイズから原稿読み込みデータの天の向きが決定される。ここで、原稿読み込みデータの天の向きとは、スキャナ部１５で原稿を読み込んでデータ化することとなるが、スキャナ部１５が読み込んだ原稿のデータの向きのことである。原稿読み込みデータの天の向きが決定されるとステップ８（Ｓ８）へと進む。
【００２４】
なお、図６に示すように、原稿読み込みデータの天の向きは各種条件によってそれぞれ決定されることとなる。図６では、原稿の向きについては、奥天（原稿の天位置が使用者から見て奥側に位置している状態）または左天（原稿の天位置が使用者から見て左側に位置している状態）のみの場合について記載している。原稿の天位置が使用者から見て手前側や右側に位置した状態で載置することもあるが、主に奥天または左天で載置することが多いため、この場合のみ記載し、手前側や右側の記載は省略するが機能としては搭載することも可能である。
【００２５】
更に詳細に図７、図８を用いて説明する。図７（Ａ）はテーブル１４上に原稿を載置した場合（図６の「テーブル読み込み」の場合）で、奥天にした場合を示している。図のように原稿を載置した状態でスキャナ１５ａが上から下へとスキャンし（図７（Ａ）に１本の矢印にて表示）、更にスキャナ１５ａが右方向に移動しながら（図７（Ａ）に２本の矢印にて表示）、原稿全体を読み込んでいく。したがって、スキャナ１５ａで読み取ったデータは、図７（Ｂ）のようになり、原稿読み込みデータの天の向きは左側を向いている（図６の「データの天の向き左」に相当）。ここで、スキャナ１５ａの上下方向の動きが主走査方向の動きであり、スキャナ１５ａの左右方向の動き（原稿の移動方向）が副走査方向の動きとなる。
【００２６】
次に、図８（Ａ）はＡＤＦ１３のトレイに原稿を載置した場合（図６の「ＡＤＦ読み込み」の場合）で、表面を奥天にした場合を示している。図のように原稿がＡＤＦ１３により反転しながらスキャナ部１５へと送られる。そして、原稿がスキャナ１５ａの上部を通過しながら原稿全体が読み込まれていく（図８（Ａ）に、スキャナ１５ａのスキャン方向を１本の矢印で、原稿の移動方向を２本の矢印にて表示）。したがって、スキャナ１５ａで読み取ったデータは、図８（Ｂ）のようになり、原稿読み込みデータの天の向きは右側を向いている（図６の「データの天の向き右」に相当）。
【００２７】
また、図６に戻り、両面同時読みとはスキャナ部１５において、複合機本体３に内蔵されたスキャナとＡＤＦ１３の内部に図示しないスキャナとが設けられた複合機１の場合に、ＡＤＦ１３で送られる原稿の表面および裏面を、２つのスキャナで同時に読み取ることである。さらに、両面交互読みとは、スキャナ部１５において、複合機本体３に内蔵されたスキャナで原稿の表面と裏面とを順次読み取ることである。この場合、原稿の表面と裏面とを反転させる図示しない反転機構がＡＤＦ１３内に設けられている。
【００２８】
ステップ８では、スタートキー１９ａを押下することで、原稿の読み取りをスキャナ部１５において開始する。原稿の読み取りが全て完了すると、ステップ９（Ｓ９）へと進む。
【００２９】
ステップ９では、ステップ８で読み取られた原稿読み込みデータをデータボックスに保存する。データボックスには、読み取った全てのデータが保存される。このとき、原稿読み込みデータには、天の向きの情報が併せて保存される。
【００３０】
次に、図９のフローチャートに基づいて、複合機１を用いてデータボックスに保存されているデータを印字出力する場合の説明をする。
図９に示すように、ステップ１１（Ｓ１１）では、印字出力したいデータをデータボックスの中から選択する。このとき、データボックスには上述の手順により保存されている原稿読み込みデータや、ＬＡＮなどを介して接続されているパーソナルコンピュータ（ＰＣ）から送信されて保存されている原稿データなどが保存されており、選択可能に構成されている。データを選択すると、ステップ１２（Ｓ１２）へと進む。
【００３１】
ステップ１２では、出力用紙のサイズを決定する（出力サイズ設定手段）。表示部９を操作することで、どの大きさの用紙に印字して出力するかを決定する。出力用紙のサイズを決定すると、ステップ１３（Ｓ１３）へと進む。
【００３２】
ステップ１３では、出力用紙への印字倍率を設定する（印字倍率設定手段）。表示部９を操作することで、原稿の印字サイズと比較して何％の大きさの印字サイズにするかを設定する。印字倍率を設定するとステップ１４（Ｓ１４）へと進む。
【００３３】
ステップ１４では、出力用紙の片面に印字させるか、両面に印字させるかを設定する。表示部９を操作することで、「片面印字」か「両面印字」かを選択する。片面印字を選択した場合は、ステップ１６（Ｓ１６）へ進み、両面印字を選択した場合は、ステップ１５（Ｓ１５）へと進む。
【００３４】
ステップ１５では、出力用紙の綴じ方向を設定する。綴じ方向としては、「左右綴じ」と「上下綴じ」があり、どちらかを選択する。綴じ方向を選択するとステップ１６へと進む。
【００３５】
ステップ１６では、制御部３３にて、原稿読み込みデータの天の向き、原稿サイズ、出力用紙サイズ、印字倍率から、原稿の印字領域（出力領域）を決定する。このとき、原稿の印字領域は、原稿の天位置を上に位置させたときに左上隅を基準にして決定される。これは、図４のフローチャートにより原稿読み込みデータの天の向きが認識できているため、データ上で原稿の左上隅がどこに当たるかを認識することができ、そのポイント（座標）から印刷に必要なデータ領域（印字領域）を決定することができる。原稿の印字領域が決定したらステップ１７（Ｓ１７）へと進む。なお、ＬＡＮを介して保存されたデータに関しては、天の向きが上になるようにＰＣで調整をした後に保存することで同様に対応できる。
【００３６】
ステップ１７では、データボックスに記憶された原稿読み込みデータから印刷領域に対応した領域のデータを抜き出し、印字倍率を変更したりするなどの画像処理を画像処理部２９にて適宜行う。画像処理を行った後に、ステップ１８（Ｓ１８）へと進む。
【００３７】
ステップ１８では、ステップ１７で画像処理されたデータに基づいて、印刷部３１にて、つまり複合機１に内蔵されたトナーを用いて出力用紙に印字する。印字された出力用紙は、図示しない用紙排出部より排出され、処理を終了する。
【００３８】
上述のフローチャートにより出力された出力用紙には、図１０〜図１２に示すように印刷される。なお、図面に示す表面と裏面との関係は、表面の天位置が上に位置するように配置したときに、その原稿の垂直方向（紙面の上下方向）の軸を中心に回転させて見たときの裏面を表示したものである（図１０〜図１２の全てに共通）。また、印字条件としては、原稿および出力用紙共にＡ４用紙であり、印字倍率を２００％とした場合で説明する。
【００３９】
（両面から両面への印字の場合）
図１０（Ａ）に示すように、原稿および出力用紙が共に左右綴じの場合で拡大印刷する場合には、表面と裏面の天位置は同じであるため、左上隅（黒丸を付した位置、以下共通）を基準に破線で示した印字範囲が決定される。
【００４０】
図１０（Ｂ）に示すように、原稿および出力用紙が共に上下綴じの場合で拡大印刷する場合には、表面と裏面の天位置は１８０度異なり、それぞれの面の左上隅を基準に破線で示した印字範囲が決定される。
【００４１】
図１０（Ｃ）に示すように、原稿が左右綴じで出力用紙には上下綴じで印字したい場合で拡大印刷する場合には、原稿の表面と裏面のそれぞれ左上隅を基準に破線で示した印字範囲が決定され、それを上下綴じになるように裏面を原稿の中心を軸に平面内で１８０度回転させて印字するようになる。
【００４２】
図１０（Ｄ）に示すように、原稿が上下綴じで出力用紙には左右綴じで印字したい場合で拡大印刷する場合には、上述の（Ｃ）のパターンと同様に、裏面を原稿の中心を軸に平面内で１８０度回転させて印字するようになる。
【００４３】
（両面から片面への印字の場合）
図１１（Ａ）に示すように、原稿が両面で左右綴じであり、出力用紙には片面ずつ印字したい場合で拡大印刷する場合には、原稿の表面と裏面のそれぞれ左上隅を基準に破線で示した印字範囲が決定され、表面を出力用紙の１枚目に印字し、裏面を出力用紙の２枚目に印字する。
【００４４】
図１１（Ｂ）に示すように、原稿が両面で上下綴じであり、出力用紙には片面ずつ印字したい場合で拡大印刷する場合には、原稿の表面と裏面の天位置を上に位置したときのそれぞれ左上隅を基準に破線で示した印字範囲が決定され、表面を出力用紙の１枚目に印字し、裏面を出力用紙の２枚目に印字する。このとき裏面は原稿の中心を軸に平面内で１８０度回転させて表面と天位置が同じになるように排出される。
【００４５】
（片面から両面への印字の場合）
図１２（Ａ）に示すように、原稿が片面で、出力用紙には左右綴じで両面印刷をしたい場合で拡大印刷をする場合には、原稿の１枚目と２枚目のそれぞれ左上隅を基準に破線で示した印字範囲が決定され、１枚目を出力用紙の表面に印字し、２枚目を出力用紙の裏面に印字する。
【００４６】
図１２（Ｂ）に示すように、原稿が片面で、出力用紙には上下綴じで両面印刷をしたい場合で拡大印刷をする場合には、原稿の１枚目と２枚目のそれぞれ左上隅を基準に破線で示した印字範囲が決定され、１枚目を出力用紙の表面に印字し、２枚目を出力用紙の裏面に印字する。このとき、上下綴じのため、裏面は、２枚目の原稿の中心を軸に平面内で１８０度回転させて印字する。
【００４７】
上述のように構成することで、原稿の同じ位置（原稿の左上隅を基準とした位置）が印字されるようになる。これは、原稿を載置する方向（天位置）を異なる方向（図９〜図１１は原稿を奥天にしているが、例えば左天）にしても、天位置設定手段にて天位置を正しく設定すれば、同じように印字されることとなる。
【００４８】
本実施形態によれば、両面複写機能を有する複合機１において、原稿のサイズを検知する原稿検知手段および原稿のサイズを設定する原稿サイズ設定手段と、原稿の天位置を要求に応じて設定する原稿天位置設定手段と、原稿の綴じ方向を要求に応じて設定する綴じ方向設定手段と、出力用紙サイズを要求に応じて設定する出力サイズ設定手段と、印字倍率を要求に応じて設定する印字倍率設定手段とを有し、原稿のデータを保存するデータボックスを備え、そのデータボックスに保存された原稿のデータを印字する際に、原稿の天位置を上とした場合に原稿の左上隅を基準に印字領域を設定するようにした。
【００４９】
このように構成することで、原稿を予め各設定手段により設定された情報を付加した状態でデータ化して、データボックスに保存でき、保存されている原稿のデータを印字する際に、その付加情報に基づいて原稿の左上隅を基準に印字することができるため、どのように出力用紙に印字されるかを使用者が想像しやすくすることができる。つまり、データボックスに保存されている原稿データを印字する際に、どのように記録用紙に印字されるか分かり易くすることができる。
【００５０】
また、画像読取部１７で読み取られた原稿データのみでなく、複合機１とＬＡＮなどを介して接続されているＰＣに保存されているデータをデータボックスに転送して保存することができるように構成した。また、ＰＣからのデータについては、原稿データの天の向きが上になるようにＰＣ側で予め調整しておくことで、上述のように原稿の左上隅を基準に印字することができるように構成した。したがって、各種データを複合機１で扱うことができ、そのデータがどのように出力用紙に印字されるかを使用者が想像しやすくすることができる。
【００５１】
尚、本発明の技術範囲は上述した実施形態に限られるものではなく、本発明の趣旨を逸脱しない範囲において種々の変更を加えることが可能である。すなわち、本実施形態で挙げた具体的な方法などは一例に過ぎず、適宜変更が可能である。
例えば、各種設定の順序については、印字機能が適正に実行させるのであれば順序を入れ替えてもよい（例えば、原稿サイズ設定、出力用紙サイズ設定および印字倍率設定など）。
また、本実施形態においては、画像形成装置を複合機に採用した場合の説明をしたが、複写機やＦＡＸ専用機などに採用してもよい。
【図面の簡単な説明】
【００５２】
【図１】本発明の実施形態における複合機の斜視図である。
【図２】本発明の実施形態における操作表示装置の斜視図である。
【図３】本発明の実施形態における複合機のブロック図である。
【図４】本発明の実施形態における原稿データをデータボックスに保存する際の操作の流れを示すフローチャートである。
【図５】本発明の実施形態における原稿天位置設定の際の表示部を示す説明図である。
【図６】本発明の実施形態における原稿読み込みデータの天の向きを決定する場合分けを示す説明図である。
【図７】本発明の実施形態におけるテーブル上に原稿を直接載置した場合の原稿読み込みデータの天の向きを説明する説明図であり、（Ａ）はスキャナと原稿の位置関係を示したもの、（Ｂ）はスキャナで読み取った原稿のデータイメージ図である。
【図８】本発明の実施形態におけるＡＤＦのトレイ上に原稿を載置した場合の原稿読み込みデータの天の向きを説明する説明図であり、（Ａ）はスキャナと原稿の位置関係を示したもの、（Ｂ）はスキャナで読み取った原稿のデータイメージ図である。
【図９】本発明の実施形態におけるデータボックスの原稿データを印字する際の操作の流れを示すフローチャートである。
【図１０】本発明の実施形態における両面原稿を出力用紙に両面印刷する場合を示す説明図である。
【図１１】本発明の実施形態における両面原稿を出力用紙に片面印刷する場合を示す説明図である。
【図１２】本発明の実施形態における片面原稿を出力用紙に両面印刷する場合を示す説明図である。
【符号の説明】
【００５３】
１…複合機（画像形成装置）  ２７…画像記憶部（データボックス）  Ｓ４…綴じ方向設定手段  Ｓ５…原稿天位置設定手段  Ｓ６…原稿サイズ設定手段  Ｓ１２…出力サイズ設定手段  Ｓ１３…印字倍率設定手段
【図１】
2008219557.tif 000003
【図２】
2008219557.tif 000004
【図３】
2008219557.tif 000005
【図４】
2008219557.tif 000006
【図５】
2008219557.tif 000007
【図６】
2008219557.tif 000008
【図７】
2008219557.tif 000009
【図８】
2008219557.tif 000010
【図９】
2008219557.tif 000011
【図１０】
2008219557.tif 000012
【図１１】
2008219557.tif 000013
【図１２】
2008219557.tif 000014